【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
血管形成カテーテルシステムであって、該血管形成カテーテルシステムは、カテーテルと、バルーンと、ステントを送達するために該バルーンを膨張および収縮するように適合された膨張デバイスとを含む、血管形成カテーテルシステムと、
該血管形成カテーテルシステムと一体化された、プログラム可能パルス発生器および少なくとも１つの電極であって、該パルス発生器は該電極に接続される、パルス発生器および電極と、
を備える、システム。
【請求項２】
前記パルス発生器は、前記カテーテルと一体化される、請求項１に記載のシステム。
【請求項３】
前記パルス発生器は、前記膨張デバイスと一体化される、請求項１に記載のシステム。
【請求項４】
前記血管形成カテーテルシステムは、トルク付加ツールをさらに含み、前記パルス発生器は、該トルク付加ツールと一体化される、請求項１に記載のシステム。
【請求項５】
前記パルス発生器は、ペースメーカーを含む、請求項１から請求項４までの任意の一項に記載のシステム。
【請求項６】
前記パルス発生器は、無線通信を介して、外部デバイスによってプログラム可能に制御される、請求項１から請求項５までの任意の一項に記載のシステム。
【請求項７】
前記外部デバイスは、プログラマを含む、請求項６に記載のシステム。
【請求項８】
前記外部デバイスは、遠隔患者監視システムを含む、請求項６に記載のシステム。
【請求項９】
前記パルス発生器は、外部バッテリによって電源供給される、請求項１から請求項８までの任意の一項に記載のシステム。
【請求項１０】
前記パルス発生器は、使用に先立って前記外部バッテリによって充電されるように適合される、請求項９に記載のシステム。
【請求項１１】
前記血管形成カテーテルシステムに接続される少なくとも１つの一体型センサであって、該センサは、血流回復を示すパラメータを感知し、かつ、該パラメータに基づいてペーシングを開始するために前記パルス発生器を始動するように適合される、センサ、
をさらに備える、請求項１に記載のシステム。
【請求項１２】
前記センサは、前記カテーテルと一体化される、請求項１１に記載のシステム。
【請求項１３】
ガイドワイヤをさらに備え、前記センサは該ガイドワイヤと一体化される、請求項１１に記載のシステム。
【請求項１４】
前記ガイドワイヤは、ペーシングリード線として機能するように適合される、請求項１３に記載のシステム。
【請求項１５】
前記カテーテルシステムは、前記バルーン内にルーメンを含む、請求項１から請求項１４までの任意の一項に記載のシステム。
【請求項１６】
前記ルーメンは、細胞を送達するように適合される、請求項１５に記載のシステム。
【請求項１７】
前記パルス発生器は、前記電極に無線で接続される、請求項１から請求項１６までの任意の一項に記載のシステム。
【請求項１８】
前記ステントは、自己拡張型ステントを含み、該ステントは、所望の解剖学的位置に該自己拡張型ステントを解放するための機械的デバイスをさらに備える、請求項１に記載のシステム。
【請求項１９】
前記パルス発生器は、無線通信を介して、外部デバイスによってプログラム可能に制御される、請求項１８に記載のシステム。
【請求項２０】
ガイドワイヤをさらに備え、該ガイドワイヤはペーシングリード線として機能するように適合される、請求項１８または１９の任意の一項に記載のシステム。
【手続補正２】
【補正対象書類名】明細書
【補正対象項目名】００１３
【補正方法】変更
【補正の内容】
【００１３】
本節における記載は、本出願の教示の一部の概観であり、本主題の排他的または包括的取扱いを意図するものではない。本主題のさらなる詳細は、発明を実施するための形態、および添付の請求項の中に見られる。当業者には、以下の発明を実施するための形態の節を熟読し理解し、その一部を形成する図面を参照することによって、他の局面が明らかとなるが、いずれの図面も限定的意味にとられるものではない。本発明の範囲は、添付の請求項およびその法的均等物によって定義される。
例えば、本発明は以下の項目を提供する。
（項目１）
血管形成カテーテルシステムであって、該血管形成カテーテルシステムは、カテーテルと、バルーンと、ステントを送達するために該バルーンを膨張および収縮するように適合された膨張デバイスとを含む、血管形成カテーテルシステムと、
該血管形成カテーテルシステムと一体化された、プログラム可能パルス発生器および少なくとも１つの電極であって、該パルス発生器は該電極に接続される、パルス発生器および電極と、
を備える、システム。
（項目２）
上記パルス発生器は、上記カテーテルと一体化される、項目１に記載のシステム。
（項目３）
上記パルス発生器は、上記膨張デバイスと一体化される、項目１に記載のシステム。
（項目４）
上記血管形成カテーテルシステムは、トルク付加ツールをさらに含み、上記パルス発生器は、該トルク付加ツールと一体化される、項目１に記載のシステム。
（項目５）
上記パルス発生器は、ペースメーカーを含む、項目１から項目４までの任意の一項に記載のシステム。
（項目６）
上記パルス発生器は、無線通信を介して、外部デバイスによってプログラム可能に制御される、項目１から項目５までの任意の一項に記載のシステム。
（項目７）
上記外部デバイスは、プログラマを含む、項目６に記載のシステム。
（項目８）
上記外部デバイスは、遠隔患者監視システムを含む、項目６に記載のシステム。
（項目９）
上記パルス発生器は、外部バッテリによって電源供給される、項目１から項目８までの任意の一項に記載のシステム。
（項目１０）
上記パルス発生器は、使用に先立って上記外部バッテリによって充電されるように適合される、項目９に記載のシステム。
（項目１１）
上記血管形成カテーテルシステムに接続される少なくとも１つの一体型センサであって、該センサは、血流回復を示すパラメータを感知し、かつ、該パラメータに基づいてペーシングを開始するために上記パルス発生器を始動するように適合される、センサ、
をさらに備える、項目１に記載のシステム。
（項目１２）
上記センサは、血流センサを含む、項目１１に記載のシステム。
（項目１３）
上記センサは、温度センサを含む、項目１１に記載のシステム。
（項目１４）
上記センサは、加速度計を含む、項目１１に記載のシステム。
（項目１５）
上記センサは、化学センサを含む、項目１１に記載のシステム。
（項目１６）
上記化学センサは、酸素（ｐＯ２）センサを含む、項目１５に記載のシステム。
（項目１７）
上記化学センサは、二酸化炭素（ｐＣＯ２）センサを含む、項目１５に記載のシステム。
（項目１８）
上記化学センサは、水素（ｐＨ）センサを含む、項目１５に記載のシステム。
（項目１９）
上記センサは、上記カテーテルと一体化される、項目１１から項目１８までの任意の一項に記載のシステム。
（項目２０）
ガイドワイヤをさらに備える、項目１１から項目１８までの任意の一項に記載のシステムであって、上記センサは該ガイドワイヤと一体化される、システム。
（項目２１）
上記ガイドワイヤは、ペーシングリード線として機能するように適合される、項目２０に記載のシステム。
（項目２２）
上記カテーテルシステムは、上記バルーン内にルーメンを含む、項目１から項目２１までの任意の一項に記載のシステム。
（項目２３）
上記ルーメンは、細胞を送達するように適合される、項目２２に記載のシステム。
（項目２４）
上記パルス発生器は、上記電極に無線で接続される、項目１から項目２３までの任意の一項に記載のシステム。
（項目２５）
自己拡張型ステントカテーテルシステムであって、該カテーテルシステムは、カテーテルと、自己拡張型ステントと、所望の解剖学的位置に該自己拡張型ステントを解放するための機械的デバイスとを含む、カテーテルシステムと、
該自己拡張型ステントカテーテルシステムと一体化された、プログラム可能パルス発生器および少なくとも１つの電極であって、該パルス発生器は該電極に接続される、パルス発生器および電極と、
を備える、システム。
（項目２６）
上記パルス発生器は、無線通信を介して、外部デバイスによってプログラム可能に制御される、項目２５に記載のシステム。
（項目２７）
ガイドワイヤをさらに備える、項目２５または項目２６の任意の一項に記載のシステムであって、該ガイドワイヤはペーシングリード線として機能するように適合される、システム。
（項目２８）
カテーテルベースのシステムを使用して血管形成療法を実施するステップであって、該システムは、カテーテルと、バルーンと、該バルーンを膨張および収縮するように適合された膨張デバイスとを含む、ステップと、
該カテーテルベースのシステムと一体化されたプログラム可能パルス発生器を使用して、該療法の間に心臓保護ペーシングを提供するステップと、
を包含する、方法。
（項目２９）
血流回復を示す少なくとも１つのパラメータを感知するステップをさらに包含する、項目２８に記載の方法。
（項目３０）
心臓保護ペーシングを提供するステップは、遺伝子発現を局所的に制御するために使用される電気的活性プロモータを刺激するためにペーシングを提供するステップを含む、項目２８または項目２９の任意の一項に記載の方法。
（項目３１）
心臓保護ペーシングを提供するステップは、所定のスクリプトを実行するために上記パルス発生器を始動するステップを含む、項目２８から項目３０までの任意の一項に記載の方法。
（項目３２）
心臓保護ペーシングを提供するステップは、医師が療法を制御できるようにアラームを誘発するステップを含む、項目２８から項目３０までの任意の一項に記載の方法。
（項目３３）
システムと一体化されたプログラム可能パルス発生器を有する血管形成カテーテルシステムを使用して、心筋梗塞の領域内に細胞を送達するステップと、
該細胞の統合または分化を改善するために、該パルス発生器からペーシングを提供ステップと、
を包含する、方法。
（項目３４）
ペーシングを提供するステップは、心筋梗塞の領域内への細胞の統合を改善するためにペーシングを提供するステップを含む、項目３３に記載の方法。
（項目３５）
細胞の統合を改善するためにペーシングを提供するステップは、幹細胞の統合を改善するためにペーシングを提供するステップを含む、項目３３または項目３４の任意の一項に記載の方法。
（項目３６）
幹細胞の統合を改善するためにペーシングを提供するステップは、成体幹細胞の統合を改善するためにペーシングを提供するステップを含む、項目３５に記載の方法。
（項目３７）
幹細胞の統合を改善するためにペーシングを提供するステップは、骨髄由来幹細胞の統合を改善するためにペーシングを提供するステップを含む、項目３５に記載の方法。
（項目３８）
幹細胞の統合を改善するためにペーシングを提供するステップは、胚幹細胞の統合を改善するためにペーシングを提供するステップを含む、項目３５に記載の方法。
（項目３９）
ペーシングを提供するステップは、心筋梗塞の領域内の細胞の分化を改善するためにペーシングを提供するステップを含む、項目３３から項目３８までの任意の一項に記載の方法。